(57)【要約】【課題】電話機のフックボタンを指等で押下して通話を切断する場合において、フックボタンを押下している指等を離してから送受話器を送受話器を置くための窪み形状部等の指定の場所に戻すまでの間に入った着信を捕捉せず、また、通話切断の際の送受話器の載置による不快な衝突音を通話中の相手方に送出しない構造を有する電話機を提供する。【解決手段】電話機の送受話器２０を置くための窪み形状である送受話器載置部１２の内にフックボタン１を有し、フックボタン１は前記送受話器載置部１２の外に設けられたフックボタン２の押し込みと連動する。フックボタン２の押下によってフックボタン１は押下され、送受話器２０を送受話器載置部１２に置く以外の手段でフックボタンを押下する。【選択図】図５
2017216491.tif 000002
【特許請求の範囲】
【請求項１】
送受話器でフックボタンを押下する電話機において、
前記送受話器を載置する送受話器載置部に配置された第一のフックボタンと、
前記送受話器が載置される箇所以外の箇所に配置された第二のフックボタンと、
前記第一及び前記第二のフックボタンを連結させる連結構造体と、
を有することを特徴とする電話機。
【請求項２】
送受話器でフックボタンを押下する電話機において、
前記送受話器を載置する送受話器載置部に配置されたフックボタンと、
前記フックボタンに取り付けられ、凹部を有する連結構造体と、
前記送受話器載置部の所定の箇所に配置されたロック解除ボタンと、前記ロック解除ボタンが押下された動きを回転運動に変換する回転軸と、前記凹部に引っ掛けるための突起形状部と、を有するロック構造体と、を有し、
前記フックボタンが押下された場合に、前記ロック構造体の前記突起形状部と前記連結構造体の前記凹部とが嵌合し、前記フックボタンが押下された状態でオンフック状態が維持され、前記ロック解除ボタンを押下することで前記回転軸を支点として回転して前記嵌合が外れ、前記フックボタンの押下状態が解除されることを特徴とする電話機。
【発明の詳細な説明】
【技術分野】
【０００１】
本発明は、フックボタンを有する電話機であって、特に、オンフック状態を維持するための仕組みを有し、操作者が意図しない回線を捕捉してしまうことを防ぐ構造を有する電話機に関する。
【背景技術】
【０００２】
送受話器を置くための箇所（以後、送受話器載置部と呼称）にフックボタンが備わっている電話機では、送受話器を送受話器載置部に置き、送受話器の自重によってフックボタンを押下し、フックボタンの押下の動きによって電話機内部にあるフックスイッチの回路開閉を操作し、オンフック状態、すなわち回線断状態とオフフック状態、すなわち回線を捕捉している状態を切り替えている。オンフック状態とオフフック状態の切り替えに関する技術として、フックボタンを有する電話機では、通話開始直後のオフフック状態の時に誤ってフックボタンを押下しても回線を切断しないようにする技術がある（例えば、特許文献１）。
【先行技術文献】
【特許文献】
【０００３】
【特許文献１】特開平７−５０７０７
【発明の概要】
【発明が解決しようとする課題】
【０００４】
しかしながら、フックボタンを有する電話機では通話を切断する際、送受話器と送受話器載置部が衝突する音が通話相手方に聞こえないようにするために、操作者が指等でフックボタンを押下してオンフック状態にしてから送受話器を送受話器載置部に戻す所作をすることがある。
【０００５】
特許文献１に記載された技術では、先述した所作による通話の切断については考慮されていないため、一度指等でフックボタンを押さえてオンフックし、その後に指等をフックボタンから離して送受話器を送受話器載置部に戻そうとした隙に、指を離してオフフック状態になる直前に入った着信を誤って捕捉してしまう可能性がある。
【０００６】
本発明の課題は、フックボタンを押下したまま送受話器を送受話器載置部に載置する際に、その送受話器を載置する動作の邪魔にならない位置にフックボタンまたはフックボタン同様の機能を持った構造を持つことで送受話器を載置する際に指等を離すことなくオフフック状態を維持することができ、また、送受話器を送受話器載置部に載置する前にフックボタンを離してしまってもフックスイッチがオンフック状態を維持できる電話機を提供することにある。
【課題を解決するための手段】
【０００７】
上記課題を達成するため、第一の発明は、送受話器でフックボタンを押下する電話機において、前記送受話器を載置する送受話器載置部に配置された第一のフックボタンと、前記送受話器が載置される箇所以外の箇所に配置された第二のフックボタンと、前記第一及び前記第二のフックボタンを連結させる連結構造体と、を有することを特徴とする。
【０００８】
また、上記課題を達成するため、第二の発明は、送受話器でフックボタンを押下する電話機において、前記送受話器を載置する送受話器載置部に配置されたフックボタンと、前記フックボタンに取り付けられ、凹部を有する連結構造体と、前記送受話器載置部の所定の箇所に配置されたロック解除ボタンと、前記ロック解除ボタンが押下された動きを回転運動に変換する回転軸と、前記凹部に引っ掛けるための突起形状部と、を有するロック構造体と、を有し、前記フックボタンが押下された場合に、前記ロック構造体の前記突起形状部と前記連結構造体の前記凹部とが嵌合し、前記フックボタンが押下された状態でオンフック状態が維持され、前記ロック解除ボタンを押下することで前記回転軸を支点として回転して前記嵌合が外れ、前記フックボタンの押下状態が解除されることを特徴とする。
【発明の効果】
【０００９】
本発明によれば、フックボタンを押下しながら送受話器を送受話器載置部に載置し、通話切断の際の送受話器の載置による衝突音を通話の相手方に送出することを防止する電話機を提供できる。また、フックボタンを押下している指等を離してもオンフック状態を維持することでオフフック状態にならないので、フックボタンを離した隙に、その直前に入った着信を誤って捕捉することがない電話機を提供できる。
【図面の簡単な説明】
【００１０】
【図１】本発明による構造を採用した電話機の外観を示す斜視図
【図２】本発明によるフックボタン１とフックボタン２の構造の実施例を示す図
【図３】フックボタン１とフックボタン２と連結構造体３の位置関係の一例を示す斜視図
【図４】フックボタン１およびフックボタン２が押下されてロックされた状態の構造を示す透視図
【図５】図４の部分拡大図
【図６】フックボタン１及びフックボタン２が押下されてロックされた状態から、ロックが解除された状態の構造を示す透視図
【発明を実施するための形態】
【００１１】
図１は、本発明による構造を採用した電話機１０の外観の斜視図であり、送受話器２０を横に置いた状態を示す。
【００１２】
送受話器載置部１２は、送受話器２０を置くための窪み形状部である。
【００１３】
フックボタン１およびフックボタン２は、回線を切る際に押下する突起状の構造体である。フックボタン１は、送受話器載置部１２の一部に設けられている。フックボタン２は、送受話器載置部１２の外に設けられている。
【００１４】
ロック解除ボタン５１については後述する。
【００１５】
図２は、本発明に於けるフックボタン１と、フックボタン２と、連結構造体３と、フックスイッチ４との位置関係の一例を示すために、電話機上ケース１１と、フックボタン１と、フックボタン２と、連結構造体３と、フックスイッチ４とを抜粋した図である。
【００１６】
図３は、図２のフックボタン１と、フックボタン２と、連結構造体３と、の位置関係を示すため抜粋した図である。
【００１７】
連結構造体３は、離れた位置にあるフックボタン１とフックボタン２の間にあって、フックボタン１とフックボタン２を連結させる。連結構造体３により、フックボタン１を押下した際にはフックボタン２が連動して押下され、またフックボタン２を押下した際にはフックボタン１が連動して押下される。
【００１８】
フックスイッチ４は、フックボタン１の押下によってもフックボタン２の押下によっても押下される位置に配され、電気的に回線のＯＮ／ＯＦＦを切り替えるための電気部品である。フックスイッチ４は、フックボタン１またはフックボタン２の押下によって押下され、フックスイッチ４の押下によって電話機１０はオンフック状態となる。
【００１９】
図４は、フックボタン１およびフックボタン２が押下され、ロックされた状態の構造を示す透視図である。図５は図４の部分拡大図である。
【００２０】
ロック構造体５は、フックボタン１またはフックボタン２を押下した際にその押下状態をロックして電話機１０がオフフック状態に戻らないようにするための仕掛けであり、ロック解除ボタン５１と、回転軸５２と、突起形状部５３と、を有する。
【００２１】
ロック解除ボタン５１は、ロック構造体５の形状の一部に設けられ、送受話器載置部１２内に飛び出る位置に配置される。
【００２２】
回転軸５２は、後述するロック解除ボタン５１が押下された動きを回転運動に変換するための回転軸である。
【００２３】
突起形状部５３は、後述する凹部３１を引っ掛けるための形状の部位である。
【００２４】
凹部３１は、連結構造体３の一部に設けられ、突起形状部５３を引っ掛けるための形状の部位である。
【００２５】
フックボタン１またはフックボタン２を押下した際に、突起形状部５３が凹部３１に引っ掛かることによって、フックボタン１及びフックボタン２が押下される前の状態に戻らないようにロックされ、つまりはフックスイッチ４が電話機１０をオンフックした状態でロックされる。
【００２６】
図６は、フックボタン１及びフックボタン２が押下されロックされた状態から、ロックが解除された状態の構造を示す図である。
【００２７】
ロック解除ボタン５１は、凹部３１と突起形状部５３とが嵌合してフックボタン１およびフックボタン２の押下状態がロックされている場合に、送受話器２０が送受話器載置部１２に置かれることで押下される。
【００２８】
ロック解除ボタン５１を押下すると、回転軸５２を中心にロック構造体５が連結構造体３から離れる向きに回転し、突起形状部５３が凹部３１から外れ、フックボタン１及びフックボタン２の押下状態のロックが解除される。その後、送受話器２０を送受話器載置部１２から持ち上げると、当該ロックが解除された状態となっているため、電話機１０をオフフック状態とすることができ、回線の捕捉が可能となる。
【００２９】
以上で説明したとおり、本発明によればフックボタン１またはフックボタン２を、送受話器２０を送受話器載置部１２に置く以外の手段、例えば指等によって押下した場合に、押下した指等をフックボタンから離してしまっても送受話器２０を送受話器載置部１２に置くまで電話機１０のオンフック状態を維持できる仕組みを提供することができる。また、本発明によれば、通話を切断する際に、送受話器２０と送受話器載置部１２の衝突音を相手方に送出することを防止できる仕組みを提供することができる。
【００３０】
尚、本実施例に於いて、連結構造体３は、フックボタン１とフックボタン２の双方またはいずれかとの一塊の部品としても構わないものとする。
【００３１】
尚、本実施例に於いて、フックボタンをフックボタン１とフックボタン２の２つとしているが、フックボタン２を無くして連結構造体３をフックボタン１に取り付け、連結構造体３の設ける凹部３１と、突起形状部５３とが嵌合するようにしてもよい。
【００３２】
尚、本実施例に於いて、フックボタンをフックボタン１とフックボタン２の２つとしているが、フックボタン１を無くして連結構造体３をフックボタン２に取り付け、連結構造体３の設ける凹部３１と、突起形状部５３が嵌合するようにしてもよい。
【００３３】
尚、フックボタン１とフックボタン２の双方またはいずれかに連結構造体３を取り付ける手段は、例えばネジによる取付けであっても、嵌め合わせの爪構造であっても、また他の手法であっても上記の部品同士を一体化できる手段であればどの様な手段でも構わないものとする。
【００３４】
尚、本実施例に於いては、フックボタンをフックボタン１とフックボタン２の２つとしているが、フックボタンは２つに限らない。３つ以上のフックボタンがあっても構わないものとする。
【００３５】
尚、本実施例ではロック構造体５の形状の一部である突起形状部５３が引っ掛かるのは、連結構造体３に設けられた形状である凹部３１としたが、ロック構造体５と引っ掛かるのはフックボタン１またはフックボタン２であっても構わないものとする。
【００３６】
尚、本実施例のロック解除ボタン５１はロック構造体５の形状の一部を延長したものとしているが、ロック解除ボタン５１はロック構造体５とは独立した別部品であっても構わないものとする。
【符号の説明】
【００３７】
１・・・フックボタン
２・・・フックボタン
３・・・連結構造体
４・・・フックスイッチ
５・・・ロック構造体
１０・・・電話機
１１・・・電話機上ケース
１２・・・送受話器載置部
２０・・・送受話器
３１・・・凹部
５１・・・ロック解除ボタン
５２・・・回転軸
５３・・・突起形状部
【図１】
2017216491.tif 000003
【図２】
2017216491.tif 000004
【図３】
2017216491.tif 000005
【図４】
2017216491.tif 000006
【図５】
2017216491.tif 000007
【図６】
2017216491.tif 000008